【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】  無線データリンクを確立しかつ保持する際に使用するためのシステムであって、
電磁波信号を複数の選択されるパターンで送信又は受信するように選択的に構成されることが可能なアンテナシステムと、
上記アンテナシステムに接続され、かつ上記アンテナシステムを介して少なくとも１つのポーリング要求を送信し、上記アンテナシステムが少なくとも２つの選択される異なるパターンで構成される間に上記少なくとも１つのポーリング要求に対する１つ又は複数の応答を検出し、上記アンテナシステムが上記少なくとも２つの選択される異なるパターンで構成される間に受信される上記ポーリング要求に対する応答に基づいて、上記アンテナシステムについて選択されるパターンを決定し、上記アンテナシステムについて選択されるパターンを示す信号を上記アンテナシステムへ送信するように構成されるコントローラとを備えるシステム。
【請求項２】  上記アンテナシステムは複数の素子を備え、上記複数の素子のうちの少なくとも１つは、電磁波信号を上記複数の素子のうちの別のものとは異なるパターンで送信するように構成される請求項１記載のシステム。
【請求項３】  上記複数の素子のうちの少なくとも１つは、他の素子がオフに切換される間に上記電磁波信号を上記選択される送信パターンで送信すべく起動されるように構成される請求項２記載のシステム。
【請求項４】  上記複数の素子のうちの少なくとも幾つかは、位相調整されたアレイとして配置される請求項２記載のシステム。
【請求項５】  上記アンテナシステムは複数の素子を備え、上記コントローラはさらに上記素子の全てから上記ポーリング要求を送信するように構成される請求項１記載のシステム。
【請求項６】  上記コントローラは、上記アンテナシステムが選択される第１のパターンで構成される間は第１のポーリング要求を送信し、かつ上記アンテナシステムが選択される第２のパターンで構成される間は第２のポーリング要求を送信するように構成される請求項１記載のシステム。
【請求項７】  上記コントローラは、上記複数の素子のうちの少なくとも１つが配置される表面と統合される回路を備える請求項１記載のシステム。
【請求項８】  上記コントローラはさらに、上記アンテナシステムへ複数のパターンで走査する信号を送信し、かつ上記アンテナシステムの走査中に上記ポーリング要求に対する応答を検出するように構成される請求項１記載のシステム。
【請求項９】  上記コントローラはさらに、上記少なくとも１つのポーリング要求に対する上記１つ又は複数の応答を送信したデバイスとの後の通信のために上記選択されるパターンを格納するように構成される請求項１記載のシステム。
【請求項１０】  複数のパターンを有するアンテナシステムを使用して無線通信リンクを改良する方法であって、
上記アンテナシステムから少なくとも１つの要求を送信することと、
上記アンテナシステムを複数のパターンで走査することと、
上記アンテナシステムが上記走査中に少なくとも２つの選択される異なるパターンで構成される間に上記要求に対する応答を検出することと、
上記検出される応答に基づいて、上記アンテナシステムのパターンを決定することと、
上記アンテナシステムから信号を上記決定されるパターンで送信又は受信することを含む方法。
【請求項１１】  上記アンテナシステムは複数の素子を備え、上記少なくとも１つの要求は、上記アンテナシステムのアンテナ素子の全てから送信される請求項１０記載の方法。
【請求項１２】  上記アンテナシステムについて、上記通信リンクにおける追加のアンテナシステムの走査速度とは異なる走査速度を選択することをさらに含む、請求項１０記載の方法。
【請求項１３】  上記通信リンクにおける追加のアンテナシステムによってパターンが変更される速度とは異なる速度で上記アンテナシステムに関するパターンを変更するステップをさらに含む請求項１０記載の方法。
【請求項１４】  パターンは方向に対応し、上記アンテナシステムを複数のパターンで走査することは方位角方向及び仰角方向へ走査することを含む請求項１０記載の方法。
【請求項１５】  上記アンテナシステムのパターンを決定することは、上記要求に対する応答を伝送する信号のパターンを、上記アンテナシステムの走査によって検出することを含む請求項１０記載の方法。
【請求項１６】  上記アンテナシステムのパターンを決定することは、
上記走査中の異なる時間に検出される上記要求に対する応答を伝送する信号の１つ又は複数の特性を比較することを含む請求項１０記載の方法。
【請求項１７】  上記アンテナシステムにより受信される信号の特性を監視することと、
上記特性が予め決められた基準を満たしているか否かを決定することと、
上記予め決められた基準が満たされていれば、上記アンテナシステムを複数のパターンで走査することをさらに含む請求項１０記載の方法。
【請求項１８】  上記アンテナシステムのパターンが変更されるにつれて、上記アンテナシステムにより受信される信号の特性を監視し、上記特性の監視に基づいて上記アンテナシステムのパターンを調整することをさらに含む請求項１０記載の方法。
【請求項１９】  予測される信号が受信されなければ、上記アンテナシステムを複数のパターンで走査することをさらに含む請求項１０記載の方法。
【請求項２０】  上記アンテナシステムは複数のアンテナ素子を有し、上記アンテナシステムを複数のパターンで走査することは、上記アンテナシステムの異なるアンテナ素子により受信される複数の信号の位相をシフトすることを含む請求項１０記載の方法。
【請求項２１】  上記アンテナシステムから少なくとも１つの要求を送信することは、上記アンテナ素子の全てから要求を送信することを含む請求項２０記載の方法。
【請求項２２】  後の使用のために上記決められたパターンを記録することをさらに含む請求項１０記載の方法。
【請求項２３】  上記要求はポーリング要求であり、上記応答はＩＥＥＥ８０２．１１規格に従って送信される請求項１０記載の方法。
【請求項２４】  上記アンテナシステムを走査するステップは、まず第１のアンテナ素子と反射器を起動し、次いで第２の素子と反射器を起動することにより実行される請求項１０記載の方法。
【請求項２５】  信号を正のアンテナ利得を有する方向へ送受信しかつこれを変える能力を有するアンテナシステムを使用して無線通信を確立しかつ保持する際に使用するための方法であって、
上記アンテナシステムから通信を送信することと、
上記アンテナシステムのアンテナ利得を複数の方向を介して電子的に操向することと、
上記アンテナシステムが複数の方向を介して操向される間に上記通信に対する応答信号を検出することと、
上記アンテナ利得の異なる方向で受信される上記応答信号の少なくとも１つの特性に基づいて、上記アンテナ利得の方向を選択することと、
上記アンテナシステムから上記選択される方向へ信号を送信又は受信することを含む方法。
【請求項２６】  ２つ以上のパターンで信号を送受信する能力を有するアンテナシステムを使用して無線通信リンクを改良する方法であって、
あるデバイスから応答を予測する１つ又は複数の信号を送信することと、
上記アンテナシステムが少なくとも２つの選択される異なるパターンで構成される場合に、上記アンテナシステムにおいて、あるデバイスから応答を要求する１つ又は複数の信号を受信することと、
上記受信される信号に基づいて、上記アンテナシステムのパターンを決定することと、
応答を要求する１つ又は複数の信号に対する応答を上記決定されるパターンで送信することを含む方法。
【請求項２７】  上記応答を要求する１つ又は複数の信号はデータリンクに対する要求である請求項２６記載の方法。
【請求項２８】  上記アンテナシステムの利得に関する方向を決定することは、
上記応答を要求する１つ又は複数の信号のビームパターンを検出することを含む請求項２６記載の方法。
【請求項２９】  上記アンテナシステムのパターンを決定することは、上記アンテナシステムが少なくとも２つの選択される異なるパターンで構成されている場合に受信された、上記応答を要求する１つ又は複数の信号の特性を比較することを含む請求項２６記載の方法。
【請求項３０】  上記アンテナシステムにより受信される信号の特性を監視することをさらに含む請求項２６記載の方法。
【請求項３１】  上記アンテナビームのパターンが変更されるにつれて、上記アンテナシステムにより受信される信号の特性を監視することをさらに含む請求項２６記載の方法。
【請求項３２】  上記アンテナシステムは複数のアンテナ素子を有し、上記アンテナシステムを少なくとも２つの選択される異なるパターンで構成することは、上記アンテナシステムの異なるアンテナ素子を起動しかつオフに切換することを含む請求項２６記載の方法。
【請求項３３】  上記アンテナシステムは複数のアンテナ素子を有し、上記アンテナシステムを少なくとも２つの選択される異なるパターンで構成することは、上記アンテナシステムの異なるアンテナ素子により受信される信号の位相をシフトすることを含む請求項２６記載の方法。
【請求項３４】  上記デバイスとの通信における後の使用のために上記決定される方向を記録することをさらに含む請求項２６記載の方法。
【請求項３５】  無線データリンクを確立しかつ保持する際に使用するためのアンテナシステムであって、
位相調整されたアレイとして使用するように配置され、電磁波信号を複数のパターンで選択的に送受信することができる複数のアンテナ素子を有するアンテナと、
上記アンテナに接続され、かつ、
上記アンテナを介してポーリング要求を送信し、
上記アンテナが少なくとも２つの選択される異なるパターンで構成される間に、上記ポーリング要求に対する応答を検出し、
上記ポーリング要求に対する応答に基づいて、送信又は受信用に選択されるアンテナパターンを決定し、
上記アンテナへ上記選択されるアンテナパターンを示す信号を送信するように構成されるコントローラとを備えるアンテナシステム。
【請求項３６】  上記コントローラは、上記複数の素子のうちの少なくとも１つが配置される表面と統合される回路を備える請求項３５記載のシステム。
【請求項３７】  上記コントローラはさらに、上記アンテナを複数のパターンで走査し、上記アンテナの走査を通して上記ポーリング要求に対する応答を伝送する信号のビームパターンを検出するように構成される請求項３５記載のシステム。
【請求項３８】  無線データリンクを確立しかつ保持する際に使用するためのアンテナシステムであって、
電磁波信号を複数の方向へ選択的に送信又は受信することができるアンテナシステムと、
上記アンテナシステムに接続され、かつ、
上記アンテナシステムへ、上記アンテナシステムにその利得を複数の方向へ配向させる信号を送信し、
上記アンテナシステムを介してポーリング要求を送信し、
上記アンテナシステムが少なくとも２つの異なる方向へ配向される間に、上記ポーリング要求に対する応答を検出し、
上記アンテナシステムが少なくとも２つの異なる方向へ配向された間に受信された上記応答に基づいて、上記アンテナシステムの利得の配向に関して選択される方向を決定し、
上記アンテナシステムの利得の配向に関して選択される方向を示す方向制御信号を上記アンテナシステムへ送信するように構成されるコントローラとを備えるアンテナシステム。
【請求項３９】  上記アンテナシステムは複数の素子を備え、上記複数の素子のうちの少なくとも１つは、電磁波信号を上記複数の素子のうちの別のものとは異なる方向へ送信するように構成される請求項３８記載のシステム。
【請求項４０】  上記複数の素子のうちの少なくとも１つは、他の素子がオフに切換される間に上記電磁波信号を上記アンテナシステムの選択される送信方向へ送信すべく起動されることが可能である請求項３９記載のシステム。